(57)【要約】【課題】  全体のスループットを向上でき、セル内干渉・セル間干渉の増大を抑制できる送信電力補正方法、移動通信システムおよび移動局を提供する。【解決手段】  移動局と基地局とから成る移動通信システムにおいて、移動局で測定した受信品質が所望の受信品質よりも低い場合に、識別データ０〜２７を使って送信電力を上げる補正を移動局が基地局に指示するとともに、移動局で測定した受信品質が所望の受信品質よりも高い場合に、識別データ２８〜３１を使って送信電力を下げる補正を移動局が基地局に指示する。これにより、送信電力を増加させるだけでなく必要に応じて減少させることができるため、自在に送信電力を変動させることができ、基地局の定格電力を超えない電力制御が可能となり、全体のスループットを向上できる。また、基地局の総電力を減少させることができるため、セル内・セル間干渉を低減できる効果がある。【選択図】        図４
2005073290.tif 000002
【特許請求の範囲】
【請求項１】
送信先で測定した受信品質に基づいて送信元に送信電力の補正を指示することにより送信電力を補正する送信電力補正方法であって、
送信先で測定した受信品質が所望の受信品質よりも低い場合に、送信電力を上げる補正を指示するとともに、送信先で測定した受信品質が所望の受信品質よりも高い場合に、送信電力を下げる補正を指示することを特徴とする送信電力補正方法。
【請求項２】
固定配置された基地局および移動しながら前記基地局との間で無線通信を行う移動局によって構成され、移動局で測定した受信品質に基づいて基地局に送信電力の補正を指示することにより基地局の送信電力を補正する移動通信システムであって、  移動局で測定した受信品質が所望の受信品質よりも低い場合に、送信電力を上げる補正を移動局が基地局に指示するとともに、移動局で測定した受信品質が所望の受信品質よりも高い場合に、送信電力を下げる補正を移動局が基地局に指示することを特徴とする移動通信システム。
【請求項３】
固定配置された基地局との間で無線通信を行う移動局であって、基地局から受信した信号の品質である受信品質を測定する受信品質測定部と、この受信品質測定部によって測定された受信品質に基づいて基地局に送信電力の補正を指示する補正指示部とを備え、
補正指示部は、受信品質測定部で測定した受信品質が所望の受信品質よりも低い場合に、送信電力を上げる補正を基地局に指示するとともに、受信品質測定部で測定した受信品質が所望の受信品質よりも高い場合に、送信電力を下げる補正を基地局に指示することを特徴とする移動局。
【請求項４】
複数の変調符号化方式を選択的に使用可能な変調符号化部を備えた移動局であって、受信品質が最低の変調符号化方式を変調符号化部が使用していて、かつ、受信品質測定部で測定した受信品質が所望の受信品質よりも高い場合に、補正指示部が送信電力を下げる補正を基地局に指示することを特徴とする請求項３記載の移動局。
【請求項５】
固定配置された基地局および移動しながら前記基地局との間で複数の拡散符号を用いて無線通信を行う移動局によって構成され、移動局で測定した受信品質に基づいて基地局に送信電力の補正を指示することにより基地局の送信電力を補正する移動通信システムであって、
移動局で測定した受信品質が所望の受信品質よりも低い場合に、使用する拡散符号数を減らす補正と送信電力を上げる補正とを移動局が基地局に指示することを特徴とする移動通信システム。
【請求項６】
使用する拡散符号数を減らす補正の指示と送信電力を上げる補正の指示とを移動局から受けた基地局は、総電力が定格電力を超えないように拡散符号数および送信電力を補正することを特徴とする移動通信システム。
【請求項７】
固定配置された基地局との間で複数の拡散符号を用いて無線通信を行う移動局であって、基地局から受信した信号の品質である受信品質を測定する受信品質測定部と、この受信品質測定部によって測定された受信品質に基づいて基地局に送信電力の補正を指示する補正指示部とを備え、
補正指示部は、受信品質測定部で測定した受信品質が所望の受信品質よりも低い場合に、使用する拡散符号数を減らす補正と送信電力を上げる補正とを基地局に指示することを特徴とする移動局。
【発明の詳細な説明】
【技術分野】
【０００１】
本発明は、送信先で測定した受信品質に基づいて送信元の送信電力を補正する送信電力補正方法、移動通信システムおよび移動局に関するものである。
【背景技術】
【０００２】
移動通信システムにおける下り方向伝送、すなわち、基地局から移動局に向かう方向のデータ伝送には、大量のデータを高速にダウンロードするためのHSDPA(High Speed Downlink Packet Access;高速下りパケット伝送)と呼ばれる技術が使われる。3GPP(3rd Generation Partnership Project)では、HSDPAにつき、移動局の受信品質に応じて変調方式やTurbo符号化レートを変更することが検討されている。この場合、使用する変調方式やTurbo符号化レートを基地局から移動局に通知する必要がある。特に、変調方式やTurbo符号化レートを適応的に変更するAMC(適応変調符号化)方式では、これらの変調符号化方式に関する情報を頻繁に基地局から移動局に通知（シグナリング）しなければならない。
【０００３】
3GPP TR(Technical Report)25.858V1.0.0 "8 Associated Signaling"（非特許文献１）には、このシグナリングに関する記述がある。まず、上記変調符号化方式に関する情報に相当するものとして、TFRC(Transport-Format and Resource Combination)がある。
【０００４】
図１０は、文献１に記載されるTFRCリストの一例を示す図である。このリストは、文献１の上りシグナリングを説明する箇所に記載されるものであるが、下りシグナリングで基地局から移動局に通知される変調符号化方式に関する情報と実質同じものを示している。このリストには、変調方式、トランスポートブロックセット(TBS)サイズ及び符号数の組合せが示されている。ここでは、変調方式として、QPSK(Quadrature Phase Sift Keying)および16QAM(Quadrature Amplitude Modulation)のいずれかのデジタル変調方式が使用される。TBSサイズは、１フレームに含まれるトランスポートブロック(TrBlk)のデータサイズにその個数を乗算したもの、すなわち１フレーム分のデータサイズそのものである。このTBSサイズは、Turbo符号化レートに関係するパラメータであり、変調符号化方式に関する情報の一種である。また、ここでは拡散符号の一種であるチャネライゼーション符号を複数まとめて１つの移動局に割当てるマルチコード方式を想定しており、リスト中のマルチコード数はマルチコードの符号数（図では全て符号数＝５）を示している。
【０００５】
例えば、TFRC1の場合、変調方式＝QPSK、TBSサイズ＝1200bit、符号数＝5であり、TFRC6の場合、変調方式＝16QAM、TBSサイズ＝7200bit、符号数＝5である。なお、図１０のリストには記載されていないが、拡散率SF(Spreading Factor)=16、1フレーム=2msと仮定した場合、１フレーム当りのデータ量は、変調方式＝QPSKのときに4800ビットであり、変調方式＝16QAMのときに9600ビットとなり、Turbo符号化レートは、TFRC(1)で1/4、TFRC(2)で1/2、TFRC(3)で3/4、TFRC(4)で1/2、TFRC(5)で5/8、TFRC(6)で3/4となる。
【０００６】
上記の変調符号化方式に関する情報（文献１ではTFRC）を基地局から移動局へ通知するためには、この情報データをそのまま伝送するわけではなく、データ量の少ない識別データに変換して伝送する。この識別データは、文献１のTFRI(Transport-Format and Resource related Information)に相当する。TFRIのデータ量が文献１で次のように規定されている。
【０００７】
・チャネライゼーション符号セット：７ビット
・変調方式：１ビット
・トランスポートブロックセットサイズ：６ビット
チャネライゼーション符号セットとは、マルチコード方式において１つの移動局に割当てられた複数のチャネライゼーション符号の組合せのことである。本来ならばTFRCを示す図１０でも、符号数のみならず、チャネライゼーション符号セットを表示すべきであるが、図１０は符号数を５個に固定した特別な場合を例示するものであり、符号数のみを示している。
【０００８】
このように、変調符号化方式に関する情報を識別データに変換して伝送する情報通知方法によって、基地局と移動局との間のトラフィックを低減している。
【０００９】
また、移動通信システムでは、移動局において受信品質を測定し、測定結果を基地局にフィードバックすることにより、基地局の送信電力を適正なものに補正している。具体的には、移動局で測定した受信品質に基づいて、移動局から基地局に（上り方向に）電力オフセットを通知（シグナリング）し、これに従って基地局で送信電力の補正を行っている。
【００１０】
図１１は、文献１に記載される電力オフセットを示すテーブルである。図１１のテーブルには、図１０に示したTFRC毎にそれぞれ複数の電力オフセットが用意されており、その各々に識別データが対応付けられている。各TFRCにおいて電力オフセット＝0dBがデフォルトとして用いられる。図１１において、TFRC(2)〜TFRC(6)については、デフォルトの電力オフセットである0dBの他に、1dB、2dBという電力オフセットが用意されている。TFRC(1)については、0dBの他に1dBステップで12dBまでの電力オフセットが用意されている。このように、移動局で測定した受信品質に基づいて、図１１に示す所望の電力オフセットを基地局に通知することにより、基地局の送信電力をよりきめ細かく変化させて、全体のスループット向上を目指している。
【００１１】
【非特許文献１】3GPP TR(Technical Report)25.858V1.0.0 "8 Associated Signaling"
【発明の開示】
【発明が解決しようとする課題】
【００１２】
しかしながら、文献１に記載されるように、移動局から基地局に対し、送信電力の増加だけを通知するようなシステム構成では、基地局の全電力すなわち定格電力を超えてしまうこともある。また、単純に基地局送信電力の増加だけを実行すれば、かえってセル内干渉・セル間干渉の増大を引き起こす可能性もある。
【００１３】
本発明の目的は、全体のスループットを向上でき、セル内干渉・セル間干渉の増大を抑制できる送信電力補正方法、移動通信システムおよび移動局を提供することである。
【課題を解決するための手段】
【００１４】
本発明に係る送信電力補正方法は、送信先で測定した受信品質が所望の受信品質よりも低い場合に、送信電力を上げる補正を指示するとともに、送信先で測定した受信品質が所望の受信品質よりも高い場合に、送信電力を下げる補正を指示するものである。
【発明の効果】
【００１５】
本発明に係る送信電力補正方法によれば、送信先で測定した受信品質が所望の受信品質よりも低い場合に、送信電力を上げる補正を指示するとともに、送信先で測定した受信品質が所望の受信品質よりも高い場合に、送信電力を下げる補正を指示するため、送信電力を増加させるだけでなく必要に応じて減少させることができる。
【発明を実施するための最良の形態】
【００１６】
実施の形態１．
図１は、本発明の実施の形態１に係る移動通信システムの構成を示す図である。移動通信システムは、移動局１１、基地局１２および基地局制御装置１３から構成される。移動局１１は、ユーザによって携帯され、移動しながら基地局１２との間で無線通信を行うことが可能な端末である。基地局１２は、特定の場所に設置される装置であって、複数の移動局１１との間で同時に無線通信を行うことが可能である。また、基地局１２は、有線伝送路を介して上位装置である基地局制御装置１３に接続されており、基地局１２が移動局１１を有線通信回線に接続する役割を担っている。基地局制御装置１３は、複数の基地局１２に接続され、基地局１２に関する各種制御を行うとともに、移動局１１を基地局１２経由で公衆回線網に回線接続する。
【００１７】
図１の移動通信システムでは、移動局１１から発信された信号が、基地局１２、基地局制御装置１３および公衆回線網（不図示）をこの順に経由して通信相手まで伝送される。逆に、通信相手から発信された信号は、公衆回線網、基地局制御装置１３および基地局１２をこの順に経由して移動局１１まで伝送される。
【００１８】
図２は、図１の移動局の構成を示す図である。移動局は、アンテナ２１、送受信部２２、逆拡散部２３、デマッピング部２４、デインターリーブ部２５、チャネルデコーディング部２６、チャネル品質測定部３１、変換部３２、チャネルコーディング部３３、インターリーブ部３４および拡散変調部３５を備えている。チャネルデコーディング部２６は、レートデマッチング部２７およびターボ復号部２８を備えている。
【００１９】
次に移動局の受信動作を説明する。
【００２０】
基地局から到来した無線信号は、アンテナ２１により受信され、送受信部２２により無線周波数からベースバンドに周波数変換され、逆拡散部２３に入力される。逆拡散部２３は、送受信部２２から出力された信号に対し、基地局から指示されたチャネライゼーション符号を用いて逆拡散処理を行い、デマッピング部２４に出力する。デマッピング部２４は、逆拡散部２３から出力された信号に対し、基地局から指示された変調方式（QPSK/16QAM）を用いてIQシンボルからビットへの変換を行う。この時、QPSKならば2ビット、16QAMならば4ビットが出力される。デマッピング部２４から出力された信号は、デインターリーブ部２５によりデインターリーブ処理を受け、チャネルデコーディング部２６に出力される。チャネルデコーディング部２６では、デインターリーブ部２５から出力された信号に対し、レートデマッチング部２７によりレートデマッチング処理を行い、ターボ復号部２８によりターボ復号処理を行う。レートデマッチング部２６から出力された信号は、移動局の他の処理ブロックに出力される。
【００２１】
次に移動局の送信動作を説明する。
【００２２】
チャネル品質測定部３１は、前述の受信系統からの信号に基づいて、基地局から到来する信号の受信品質をチャネル毎に測定しており、測定結果に基づいて基地局に通知すべき電力オフセットを決定する。変換部３２は、チャネル品質測定部３１から出力された電力オフセットを含むTFRC、ACK/NACK、PILOT、TFCIおよびTPCをそれぞれ識別データに変換して、DPCCHを介して拡散変調部３５に出力する。また、通常の情報データは、チャネルコーディング部３３によりターボ符号化処理およびレートマッチング処理を受け、インタリーブ部３４によりインターリーブ処理を受けてDPDCHを介して、拡散変調部３５に出力される。DPCCHおよびDPDCHのデータは、拡散変調部３５により所定の拡散符号で拡散処理され、所定の変調方式でデジタル変調処理される。拡散変調部３５から出力された信号は、送受信部２２によりベースバンドから無線周波数に周波数変換され、アンテナ２１から基地局に向け無線送信される。
【００２３】
なお、ACK/NACKは、Acknowledge/Negative Acknowledge信号で、下り受信データが正しく送信されたことを基地局に通知するための信号であり、PILOTは、PILOT信号で、基地局のタイミング/位相基準のための信号であり、TFCIは、Transport Format Combination Indicator信号で、トランスポートフォーマットの組合せを示す信号であり、TPCは、Transmit Power Control信号で、下り送信電力制御のために用いられる。
【００２４】
図３は、図１の基地局の構成を示す図である。基地局は、下りパケットチャネル（HS-DSCH）送信処理部４１、共通パイロットチャネル(CPICH)送信処理部４２、他チャネル送信処理部４３、多重化部４４、送受信部４５、アンテナ４６、逆拡散部６３、デインターリーブ部６４、チャネルコーディング部６５、変換部６６、スケジューラ６７及びリソース管理部６８を備えている。下りパケットチャネル送信処理部４１は、チャネルコーディング部５１、インターリーブ部５２、変調部５３、乗算器５４および多重化部５５を備えている。チャネルコーディング部５１は、ターボ符号化部５６およびレートマッチング部５７を備えている。
【００２５】
次に基地局の受信動作を説明する。
【００２６】
移動局から到来した無線信号は、アンテナ４６により受信され、送受信部４５により無線周波数からベースバンドに周波数変換される。送受信部４５から出力された信号は、逆拡散部６３において、所定の拡散符号を用いて逆拡散処理される。逆拡散処理後のデータのうち、DPDCHのデータはデインターリーブ部６４に出力され、DPCCHのデータは変換部６６に出力される。DPDCHのデータは、デインターリーブ部６４によりデインターリーブ処理を受け、チャネルデコーディング部６５によりレートデマッチング処理とターボ復号処理を受ける。ターボ復号処理を受けたデータは、上位装置である基地局制御装置に伝送される。一方、DPCCHのデータは移動局で変換された識別データであり、変換部６６により元のTFRC、ACK/NACK、PILOT、TFCI、TPCに変換される。このうち、電力オフセットを含むTFRCは、スケジューラ６７により所定のタイミングでリソース管理部６８に出力される。リソース管理部６８は、各移動局毎のTFRCを管理しており、既に記憶されているTFRCをスケジューラ６７から出力されたTFRCで置き換える処理を行う。リソース管理部６８は、チャネルコーディング部５１に符号化レートを、変調部５３にチャネライゼーション符号セット及び変調方式を、乗算器５４に電力オフセットを、それぞれ指示する。
【００２７】
次に基地局の送信動作を説明する。
【００２８】
上位装置である基地局制御装置から伝送されてきた信号は、ターボ符号化部５６によりターボ符号化処理を受け、レートマッチング部５７によりレートマッチング処理を受ける。このターボ符号化部５６とレートマッチング部５７とで構成されたチャネルコーディング部５１は、ターボ符号化およびレートマッチングの合計の符号化レートが、リソース管理部６８により指示された符号レートになるように調整する。チャネルコーディング部５１から出力された信号は、インターリーブ部５２によりインターリーブ処理を受け、変調部５３に出力される。変調部５３は、リソース管理部６８に指示された変調方式（QPSK/16QAM）を用いてデジタル変調処理（ビットからIQシンボルへの変換）を行い、リソース管理部６８に指示されたチャネライゼーション符号を用いて拡散処理を行う。変調部５３から出力された各チャネル毎の信号に対し、乗算器５４により電力オフセットがゲインとして乗算される。乗算器５４から出力された信号は、多重化部５５により多重化され、さらに多重化部４４によりCPICHおよび他チャネルの信号と多重化される。多重化部４４から出力された信号は、送受信部４５によりベースバンドから無線周波数に周波数変換され、アンテナ４６から移動局に向け無線送信される。
【００２９】
図４は、移動局から基地局に通知する電力オフセットを示すテーブルである。図４のテーブルには、電力オフセットの他に、電力オフセットを除く情報に対応したTFRC種別を表すTFRC(x,y)および各電力オフセット値に対応付けられた識別データが記載される。TFRC(x,y)のxは、図１０のxと同一の番号であり、x=1〜6の値をとり得る。yは、マルチコード数を示しており、y=1〜15の値をとり得る。各xについては（yは任意）、電力オフセット＝0dBがデフォルトとして用いられる。TFRC(2,y)〜TFRC(5,y)については、デフォルトの電力オフセットである0dBのほかに、1dB、2dBというオフセットが用いられる。TFRC(1,y)については、0dBの他に1dBステップで12dBまでの電力オフセットが用いられる。
【００３０】
特に、TFRC(6,y)については、0dB、1dB、2dBの電力オフセットのほか、-1dB、-2dB、-3dB、-4dBの電力オフセットを設けている。このように、TFRC(6,y)につきマイナスの電力オフセットを設けることによって、移動局が基地局の近傍に存在する場合に基地局の送信電力を減少させることができるため、自セル内の他のチャネルへの干渉および他セルへの干渉を低減することができる。
【００３１】
図５（ａ）は^Ior/Iocに対するBLER特性を示す図であり、図５（ｂ）は電力オフセットをパラメータとした^Ior/Iocに対するBLER特性を示す図である。まず図５（ａ）につき説明する。^Ior/Iocの^IorおよびIocは、3GPP TS25.101V3.8.0に次のように定義されている。
【００３２】
^Ior： 移動局アンテナコネクタで測定した下りリンクの受信電力
スペクトル密度
Ioc： 移動局アンテナコネクタで測定した帯域制限白色雑音源の
電力スペクトル密度
BLERはブロックエラーレートである。TFRC毎の本特性は3GPP TR25.848V4.0.0に記載されており、特性の良い方から並べるとTFRC(1,y)、TFRC(2,y)、TFRC(3,y)、TFRC(4,y)、TFRC(5,y)、TFRC(6,y)となる(yは任意)。特性の良いものとは、同一のBLERに対し^Ior/Iocの小さいものである。移動局１１のチャネル品質測定部３１では、ここで説明した特性を測定している。さらに、この特性と所定のしきい値th1,th2,th3,th4,th5との大小比較により、基地局から移動局への下り方向伝送に使用するTFRCを決定する。しきい値は、小さい方から並べるとth1,th2,th3,th4,th5の順になる。TFRC(1,y)は、所要Ior/Iocが最小すなわち最も特性が良いので、同一セル内において最も外側すなわちセルエッジ(セル境界)に位置する移動局にはTFRC(1,y)が割当てられ、内側へシフトするに従い順次TFRC(2,y)〜TFRC(5,y)が割当てられる。最も内側すなわち基地局の近傍に位置する移動局には、TFRC(6,y)が割当てられる。
【００３３】
次に図５（ｂ）につき説明する。電力オフセットについても、特性の良い方から順に並べると、0dB、1dB、2dB、…、12dBとなる。これらについても、所定のしきい値th11,th21,th31,…,th131との大小比較により、決定される。
【００３４】
図６は、基地局での送信電力配分（デフォルト）を示す図である。ここでは、下りパケット用チャネル（HS-DSCH）の符号数＝10の場合を示しており、基地局の定格電力Pt(100%)のうち、HS-DSCHに最大で80%、共通パイロットチャネル（CPICH）に最大で10%、他のチャネルに固定の10%の電力を割当てる。他のチャネルには、ユーザ毎の個別物理チャネルや、共通制御チャネルなどが含まれる。HS-DSCH全電力Phsは、ユーザ2人（すなわち2台の移動局）に割当てられ、ユーザ1に5コードのコードセット７１が、ユーザ2に5コードのコードセット７２が、それぞれ割当てられている。HS-DSCHの1コードには、HS-DSCH全電力Phsを10等分したPhs/10が初期的に割当てられる。
【００３５】
図７は、基地局での送信電力配分（電力減少時）を示す図である。図６の場合と同様、基地局全電力Pt(100%)のうち、HS-DSCHに最大80%、共通パイロットチャネル(CPICH)に固定の10%、他チャネルに最大10%の電力が配分されている。HS-DSCH全電力Phsはユーザ2人に割当てられ、ユーザ1に5コードが、ユーザ2に5コードが割当てられる。ユーザ1には、図４におけるTFRC(1,y)および電力オフセット＝0dBが、ユーザ2には、TFRC(6,y)および電力オフセット＝-4dBがそれぞれ割当てられているとすると、ユーザ1のコードセット７１の電力は変わらずPhs/2、ユーザ2のコードセット７２の電力はPhs/2から-4dB変化した値Phs*10-0.4/2となるため、HS-DSCHの電力を減らすことができる。
【００３６】
図に示すように、HS-DSCH電力が基地局電力に占める割合が高いため、自セル内の干渉低減や他セルへの干渉低減が可能となる。なお、自セル内において各チャネルは直交符号が用いられており、単一パス環境下では、自セル内干渉は理論的には0になるが、実際のセルラー環境では、地形による反射、回折に起因するマルチパスによるセル内干渉が大きな問題となっており、本実施の形態のようにHS-DSCH電力を低減することにより、他ユーザ、他チャネルへの干渉の影響を低減することができる。
【００３７】
実施の形態２．
図８は、本発明の実施の形態２における基地局の送信電力配分を示す図である。基地局全電力Pt(100%)のうち、HS-DSCH全電力Phsに最大80%、共通パイロットチャネル(CPICH)に固定の10%、他チャネルに最大10%の電力を配分する。デフォルトは図６に示されたものと同一であり、実施の形態２では、図８の状態に変化する。図８では、HS-DSCH全電力Phsはユーザ2人に割当てられ、ユーザ1に5コードのコードセット７１、ユーザ2に1コード（コードセット７２）を割当てる。このとき、ユーザ1には図４におけるTFRC(1,y)及び電力オフセット＝0dB、ユーザ2にはTFRC(1,y)及び電力オフセット=7dBが割当てられ、ユーザ1のコードセット７１の電力は5コードでPhs/2であり、ユーザ2のコードセットの電力は1コードでPhs/2となる。したがって、ユーザ1の1コード当りの電力はPhs/10であり図６から変化していないが、ユーザ2の1コード当りの電力はPhs/2となり図６からは大幅に増加している。
【００３８】
このように、コード数を変化させることは、移動局で測定した受信品質が所望の受信品質よりも低い場合に、特に有効である。すなわち、使用する拡散符号数を減らす補正とともに送信電力を上げる補正を移動局が基地局に指示することにより、移動局の受信品質を向上させることができる。これは全体の電力の枠の中で、マルチコード数を変化させて、１コード当りの各電力配分を変化させるものである。これ以外の構成および動作については、実施の形態１と同一であるため、説明を省略する。
【００３９】
図９は、電力オフセットと真数との対応表である。前述のように、全体の電力の枠内で電力を配分するには、各チャネル毎に電力オフセットの真数を全て合計した値が基地局の全符号数（例えば10あるいは15）を超えないことを条件とすればよい。このような、条件下では、自由に電力を配分できる。例えば、10コードの場合は図８に示した通りであり、15コードの場合はユーザ1がコード数1で10dBオフセット、ユーザ2がコード数5で0dBオフセットという組合せが実現可能である。
【００４０】
なお、本実施の形態では、移動局で測定した受信品質が所望の受信品質よりも低い場合に、使用する拡散符号数を減らす補正と送信電力を上げる補正とを移動局が基地局に指示することを説明したが、これとは逆に、移動局で測定した受信品質が所望の受信品質よりも高い場合に、使用する拡散符号数を増やす補正と送信電力を下げる補正とを移動局が基地局に指示するようにしてもよい。またHS-DSCH全電力は80%の他の値をとっても構わないし、CPICHとの電力比が一定値でなくても適用できる。
【図面の簡単な説明】
【００４１】
【図１】本発明の実施の形態１に係る移動通信システムを示す図である。
【図２】図１の移動局の構成を示すブロック図である。
【図３】図１の基地局の構成を示すブロック図である。
【図４】移動局から基地局に通知する電力オフセットを示すテーブルである。
【図５】図５（ａ）は^Ior/Iocに対するBLER特性を示す図であり、図５（ｂ）は電力オフセットをパラメータとした^Ior/Iocに対するBLER特性を示す図である。
【図６】基地局での送信電力配分（デフォルト）を示す図である。
【図７】基地局での送信電力配分（電力減少時）を示す図である。
【図８】本発明の実施の形態２における基地局での送信電力配分を示す図である。
【図９】電力オフセットと真数との対応表である。
【図１０】文献１に記載されるTFRCリストの一例を示す図である。
【図１１】文献１に記載される電力オフセットを示すテーブルである。
【符号の説明】
【００４２】
１１  移動局
１２  基地局
１３  基地局制御装置
２１、６１  受信アンテナ
２２、６２  受信部
２３、６３  逆拡散部
２４  デマッピング部
２５、６４  デインターリーブ部
２６、６５  チャネルデコーディング部
２７  レートデマッチング部
２８  ターボ復号部
３１  チャネル品質測定部
３２、６６  変換部
３３、５１  チャネルコーディング部
３４  インターリーブ部
３５  拡散変調部
３６、４５  送信部
３７、４６  送信アンテナ
４１  HS-DSCH送信処理部
４２  CPICH送信処理部
４３  他チャネル送信処理部
４４  多重化部
５６  ターボ符号化部
５７  レートマッチング部
６７  スケジューラ
６８  リソース管理部
７１、７２  コードセット
【図１】
2005073290.tif 000003
【図２】
2005073290.tif 000004
【図３】
2005073290.tif 000005
【図４】
2005073290.tif 000006
【図５】
2005073290.tif 000007
【図６】
2005073290.tif 000008
【図７】
2005073290.tif 000009
【図８】
2005073290.tif 000010
【図９】
2005073290.tif 000011
【図１０】
2005073290.tif 000012
【図１１】
2005073290.tif 000013